(57)【特許請求の範囲】
【請求項１】
水を溜める貯水タンクと、茶を抽出する飲料抽出容器と、この飲料抽出容器に着脱自在に設けた茶葉を収納し水を透過するバスケットと、前記飲料抽出容器の下部に設けたサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた飲料抽出装置。
【請求項２】
吐出口開閉手段は、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成した請求項１記載の飲料抽出装置。
【請求項３】
水を溜める貯水タンクと、茶を抽出する飲料抽出容器と、この飲料抽出容器に着脱自在に設けた茶葉を収納し水を透過するバスケットと、前記飲料抽出容器の下部に設けた蓋を取り外し自在に有するサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段と、常時は吐出口開閉手段を構成する押圧部を押圧し、所定の位置にサーバが載置された場合にサーバの蓋によって前記押圧部の押圧を解除する押圧解除手段とを有する飲料抽出装置。
【請求項４】
水を溜める貯水タンクと、飲料を抽出する飲料抽出容器と、この飲料抽出容器に着脱自在に設けた粉末コーヒまたは茶葉を収納し水を透過するバスケットと、前記飲料抽出容器の下部に設けたサーバと、コーヒと茶のどちらを抽出するかを選択するスイッチと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた飲料抽出装置。
【請求項５】
吐出口開閉手段は、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成した請求項４記載の飲料抽出装置。
【発明の詳細な説明】
【０００１】
【産業上の利用分野】
本発明は、コーヒや紅茶等の各種飲料の原料から、熱湯で飲料を抽出する飲料抽出装置に関するものである。
【０００２】
【従来の技術】
以下従来の飲料抽出装置について図４（ａ）を用いて説明する。飲料抽出装置の本体１（以下単に本体１と称する）は、水を溜める貯水タンク２と、貯水タンク２の水を茶抽出容器５まで案内する導水パイプ３と、茶抽出容器５を支持する支持部１ａとを備えている。導水パイプ３は貯水タンク２の底部に接続しており、ヒータ４によって案内された水を加熱する加熱部３ａと、加熱部３ａから沸騰によって上昇する水を茶抽出容器５に案内する案内部３ｂとを有している。案内部３ｂの端部は給湯口３ｃとなっている。また茶抽出容器５には、図４（ｂ）・図４（ｃ）に示しているバスケット６が着脱可能に装着されている。バスケット６は、水を透過させるための多数の孔６ａを有している。茶抽出容器５は底部に吐出口５ａを有しており、吐出口５ａは開閉弁７によって開閉されるようになっている。すなわち開閉弁７は手動によって回転操作できるようになっており、９０°回転させることによって吐出口５ａを開閉できるものである。また本体１の底部はサーバ８の支持台となっており、サーバ８は吐出口５ａから吐出された茶を受けるように載置されている。
【０００３】
この茶抽出容器５は前記支持部１ａによって取り外し自在となっており、コーヒを抽出するときには図４（ｄ）に示しているコーヒ抽出容器９に取り換えて使用するようになっている。コーヒ抽出容器９は断面がほぼ三角形状であり、下端部には抽出孔９ａを有している。また孔１０ａを有している紙フィルタ１０を挿入して使用する。
【０００４】
以上の構成で、茶とコーヒのどちらでも自由に抽出して飲用することができるようになっているものである。すなわち茶を抽出する場合には、茶抽出容器５にバスケット６を配置し、所要量の茶葉をバスケット６内に入れて、図示していないスイッチをオンするものである。スイッチのオンによってヒータ４が通電されて、貯水タンク２内の水は導水パイプ３を通って、加熱部３ａで加熱され、この沸騰圧によって案内部３ｂを上昇し、給湯口３ｃからバスケット６・茶抽出容器５内に注がれる。こうして、バスケット６に入れた茶葉から茶の成分が十分抽出できた時点で開閉弁７を開けてやると、サーバ９内に茶を溜めることができる。
【０００５】
またコーヒを抽出する場合には、茶抽出容器５の代わりにコーヒ抽出容器９を使用するものである。コーヒ抽出容器９内に紙フィルタ１０を敷き込んで、この紙フィルタ１０内に所要量の粉末コーヒを収容し、前記同様、給湯口３ｃから熱湯をコーヒ抽出容器９内に注ぎ込むものである。こうしてコーヒ成分が抽出された時点で開閉弁７を開けてやると、サーバ９内にコーヒを溜めることができる。
【０００６】
【発明が解決しようとする課題】
前記従来の構成のものは、装置使用者が茶あるいはコーヒの抽出具合いを自分で判断して、開閉弁７を開放しなければならないものであり、絶えず観察する必要があるという課題を有している。また抽出する飲料がコーヒの場合と茶の場合とでは使用する抽出容器が異なるため抽出容器を取り換える必要があり、操作が煩わしいという課題を有している。
【０００７】
本発明はこのような従来の構成が有している課題を解決するものであり、風味の良い茶を自動的に抽出することができる飲料抽出装置を提供することを第一の目的としている。また前記第一の目的を達成する第二の手段を提供することを第二の目的としている。また、サーバが載置されていなかったりあるいは所定の位置に載置されていない場合には、抽出液の吐出を実行しない安全な飲料抽出装置を提供することを第三の目的としている。更に、抽出する飲料がコーヒの場合でも茶の場合でも同一の抽出容器を使用して、風味の良い飲料を自動的に抽出することができる飲料抽出装置を提供することを第四の目的としている。また、サーバが載置されていなかったりあるいは所定の位置に載置されていない場合には、抽出液の吐出を実行しない安全で、しかも手軽にコーヒも茶も抽出できる飲料抽出装置を提供することを第五の目的としている。
【０００８】
【課題を解決するための手段】
第一の目的を達成するための本発明の第一の手段は、水を溜める貯水タンクと、茶を抽出する飲料抽出容器と、この飲料抽出容器に着脱自在に設けた茶葉を収納し水を透過するバスケットと、前記飲料抽出容器の下部に設けたサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた飲料抽出装置とするものである。
【０００９】
第二の目的を達成するための本発明の第二の手段は、特に吐出口開閉手段は、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成した飲料抽出装置とするものである。
【００１０】
また第三の目的を達成するための本発明の第三の手段は、水を溜める貯水タンクと、茶を抽出する飲料抽出容器と、この飲料抽出容器に着脱自在に設けた茶葉を収納し水を透過するバスケットと、前記飲料抽出容器の下部に設けた蓋を取り外し自在に有するサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段と、常時は吐出口開閉手段を構成する押圧部を押圧し、所定の位置にサーバが載置された場合にサーバの蓋によって前記押圧部の押圧を解除する押圧解除手段を有する飲料抽出装置とするものである。
【００１１】
更に第四の目的を達成するための本発明の第四の手段は、水を溜める貯水タンクと、飲料を抽出する飲料抽出容器と、この飲料抽出容器に着脱自在に設けた粉末コーヒまたは茶葉を収納し水を透過するバスケットと、前記飲料抽出容器の下部に設けたサーバと、コーヒと茶のどちらを抽出するかを選択するスイッチと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた飲料抽出装置とするものである。
【００１２】
また第五の目的を達成するための本発明の第五の手段は、本発明の第四の手段を構成する吐出口開閉手段を、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成した飲料抽出装置とするものである。
【００１３】
【作用】
本発明の第一の手段は、飲料抽出容器の温度を検知する温度検知手段によって飲料抽出容器中に熱湯が給水されたことを検知し、この瞬間から制御手段が所定時間のカウントを開始して、所定時間が経過した時点で吐出口開閉手段を駆動して、飲料抽出容器中の飲料をサーバ内に供給する飲料抽出装置としている。
【００１４】
本発明の第二の手段は、吐出口開閉手段の具体構成を提供するもので、ソレノイドの運動を吐出口を押圧している押圧部が受けたときに、吐出口の押圧を解除する簡単な構成の飲料抽出装置としている。
【００１５】
本発明の第三の手段は、サーバが載置されるとサーバの蓋に連動する押圧解除手段によって吐出口開閉手段に対する押圧を解除して、サーバ内への飲料の吐出が行えるようにし、所定の位置にサーバが載置されていないあるいはサーバが全く載置されていないときには飲料抽出容器中の飲料を抽出することがない安全な飲料抽出装置としているものである。
【００１６】
また本発明の第四の手段は、スイッチによって飲料の種類がコーヒであることを認識すると、給湯前に吐出弁動作手段が吐出弁を下げ吐出口を開口し、茶の場合には温度検知手段の情報によって熱湯の給水を検知した瞬間から所定の時間が経過した時点で吐出口制御手段を駆動するようにして、種類のちがう飲料であっても同じ飲料抽出容器で抽出でき、茶もコーヒも風味の良いものを得ることができる飲料抽出装置としている。
【００１７】
本発明の第五の手段は、サーバが載置されていなかったりあるいは所定の位置に載置されていない場合には、抽出液の吐出を実行しない安全で、しかも手軽にコーヒも茶も抽出できる飲料抽出装置としている。
【００１８】
【実施例】
（実施例１）
以下本発明の第一の実施例について説明する。図１は本実施例の構成を示している。１４は本実施例の飲料抽出装置の本体（以下単に本体と称する）で、水を溜める貯水タンク１５と、茶を抽出する飲料抽出容器１６を支持する図示していない支持部と、貯水タンク１５から飲料抽出容器１６内に熱湯を案内する導水パイプ１７と、貯水タンク１５内の水を前記バスケット内に沸騰給水する加熱手段であるヒータ１８と、制御手段１９とを備えている。飲料抽出容器１６には、茶葉を収納し水を透過するバスケット２０を着脱自在に設けており、また底部には吐出口１６ａを設けている。本体１４の底部は蓋２１を備えたサーバ２２の支持台となっており、サーバ２２は前記吐出口１６ａの下部にセットされるようになっている。また導水パイプ１７は、逆止弁２３を介して貯水タンク１５の底部に接続しており、ヒータ１８によって貯水タンク１５から案内した水を沸騰させる加熱部１７ａと、加熱部１７ａから沸騰によって上昇する水を飲料抽出容器１６に案内する案内部１７ｂとを有している。このとき逆止弁２３は、導水パイプ１７から貯水タンク１５内へ水が逆流しないように作用している。前記案内部１７ｂの先端は、給湯口１７ｃとなっている。また飲料抽出容器１６の底部外周には、温度を検知する温度検知手段２４を設けている。温度検知手段２４の出力は、前記本体１４内に設けた制御手段１９に伝達している。
【００１９】
また前記飲料抽出容器１６に設けている吐出口１６ａは、吐出口開閉手段２５によって開閉されるようになっている。本実施例では吐出口開閉手段２５は、先端に吐出口１６ａを覆う半球体２６ａを有して吐出口１６ａを開閉する押圧部２６と、スプリング２７ｂの付勢力を枢支ピン２７ｃを介して押圧部２６に伝達する伝達部２７と、伝達部２７に係合する作動ピン２８を備え、作動ピン２８を上方向に変位させるソレノイド２９とから構成している。このソレノイド２９に対する通電は、前記制御手段１９の指示によって行われるものである。つまり制御手段１９は、温度検知手段２４から飲料抽出容器１６内が所定温度以上に達したことを認識すると、内部に有している計時手段を駆動して所定時間を計時し、所定時間が経過するとソレノイド２９を通電するものである。
【００２０】
以下本実施例の動作を説明する。貯水タンク１５内に所要量の水を収容しバスケット２０に所要量の茶葉を収容して、図示していない電源を投入すると、装置は動作を開始する。貯水タンク１５内の水は、逆止弁２３を介して導水パイプ１７に流れ込み、ヒータ１８によって加熱されるものである。こうして導水パイプ１７の加熱部１７ａで沸騰した水は、案内部１７ｂから給湯口１７ｃを通ってバスケット２０・飲料抽出容器１６に注ぎ込まれる。このとき飲料抽出容器１６の底部の吐出口１６ａは、吐出口開閉手段２５を構成する押圧部２６によって閉塞されている。従って、バスケット２０内の茶葉は熱湯中に浸されているものである。飲料抽出容器１６の底部外周に設けている温度検知手段２４は、飲料抽出容器１６の温度を検知しており、この情報を制御手段１９に伝達している。制御手段１９はこの温度情報を受けて、飲料抽出容器中に熱湯が供給されていることを認識すると、内部に有している計時手段を駆動して所定時間の計時を開始する。つまり茶葉が十分に開いて、茶成分の抽出が十分行われる時間を所定時間として定めているものである。この所定時間の計時を終了すると、図示していないソレノイド制御手段に対してソレノイド２９に対する通電を指示するものである。ソレノイド２９が動作すると、作動ピン２８が上方向に変位し、伝達部２７がスプリング２７ｂの付勢力に打ち勝って上方に変位する。この変位は枢支ピン２７ｃから押圧部２６に伝達され、押圧部２６は下方に変位して、先端に設けている半球体２６ａが吐出口１６ａから離れるものである。つまり吐出口１６ａが開放されるものである。換言すれば吐出口開閉手段２５が、吐出口１６ａを開放するものである。吐出口１６ａが開放されると、飲料抽出容器１６内に溜まっていた茶は吐出口１６ａからサーバ２２内に吐出される。このとき、バスケット２０によって茶葉がサーバ２２内に入ることは阻止されるものである。
【００２１】
以上のように本実施例によれば、制御手段１９によって飲料抽出容器１６に熱湯が供給されてから所定の時間が経過した時点で吐出口開閉手段２５を駆動するようにしているため、茶葉が充分に大きく開いて茶成分の抽出を確実に行うことができ、常に風味の良い茶を自動的に得ることができるものである。
【００２２】
なお本実施例で使用している温度検知手段３１はサーミスタとしているが、特に制限を必要とはしないものである。また吐出口開閉手段２５の構成についても、特にこの実施例の内容に限定する必要はないものである。
【００２３】
（実施例２）
続いて本発明の第二の実施例について説明する。本実施例では、図２（ａ）・図２（ｂ）に示しているように、実施例１で説明した吐出口開閉手段２５の作動を制御する押圧解除手段３０を設けているものである。押圧解除手段３０は、吐出口開閉手段２５を構成する押圧部２６の駆動を抑える抑止部３１と、抑止部３１の抑止動作を解除する解除部３２とから構成している。抑止部３１は、枢支ピン３１ａと枢支ピン３１ａを中心に回動する連動杆３１ｂと、飲料抽出容器１６の底部に取り付け、連動杆３１ｂの一端を付勢するスプリング３１ｃと、押圧部２６と接触して押圧部２６を押圧する凸部３１ｄとから構成している。解除部３２は前記連動杆３１ｂの一端に下向きに設けた凸部で構成している。
【００２４】
以下本実施例の動作について説明する。使用者が図１に示しているようにサーバ２２を本体１５に載置すると、図２（ｂ）に示しているようにサーバ２２の蓋２１が解除部３２を押し上げるものである。解除部３２が押し上げられると、スプリング３１ｃの付勢力に打ち勝って、連動杆３１ｂは枢支ピン３１ａを中心に下向きに回動する。連動杆３１ｂの端部に設けている凸部３１ｄは、この結果押圧部２６から離れることになる。つまり押圧部２６に対する抑止を解除するものである。この状態で実施例１と同様に、熱湯がバスケット２０・飲料抽出容器１６内に供給されると、バスケット２０内の茶葉が十分開く所定の時間が経過した時点で制御手段１９がソレノイド２９を通電して、風味の良い茶がサーバ２２内に供給されるものである。
【００２５】
つまり、本実施例によればサーバ２２の蓋２１が解除部３２を押し上げなければ、連動杆３１ｂの凸部３１ｄは押圧部２６を抑止し続けているものである。押圧部２６が抑止されていれば、押圧部２６の端部に設けている半球体２６ａは飲料抽出容器１６の吐出口１６ａを閉塞し続けることになるものである。つまり、サーバ２２が載置されていなかったり、あるいは所定の場所に載置されていない間は、飲料抽出容器１６内に供給された熱湯がサーバ２２に吐出されることはなく、安全な飲料抽出装置を実現しているものである。
【００２６】
（実施例３）
続いて本発明の第三の実施例について説明する。本実施例では図３に示しているように、飲料抽出容器１６内に着脱自在に設けたバスケット３５の断面形状をほぼ円錐形としており、この頂点付近に孔３５ａを設けているものである。つまり、バスケット３５内に茶葉を収納して茶を抽出する場合にも、粉末コーヒを収納してコーヒを抽出する場合にも都合の良い形状としているものである。また本体１４の表面に、抽出飲料の種類がコーヒであるか茶であるかを指定するスイッチ３６を設けている。このスイッチ３６に指定された情報は、本体１４内に設けている制御手段１９に伝達されている。
【００２７】
以下本実施例の動作について説明する。使用者がスイッチ３６によって抽出する飲料の種類を指定し、例えば所要量の茶葉をバスケット３５に収納して所要量の紅茶の葉を収容し、電源を入れると装置が動作を開始する。スイッチ３６に指定された情報は制御手段１９に伝達されているため、この場合は制御手段１９は実施例１で説明したように、飲料抽出容器１６に熱湯が供給されてから所定の時間が経過した時点で吐出口開閉手段２５を駆動するものである。このため、茶葉が充分に大きく開いて茶成分の抽出を確実に行うことができ、風味の良い茶を自動的に得ることができるものである。
【００２８】
またコーヒを抽出する場合は、スイッチ３６の指定をコーヒとし、所要量の粉末コーヒをバスケット３５に収納して電源を供給すると、風味の良いコーヒがサーバ２１内に吐出されるものである。つまりこの場合制御手段１９は、スイッチ３６からの情報を受けると直ちにソレノイド２９を通電するものである。ソレノイド２９の通電によって、吐出口開閉手段２５を構成する押圧部２６が飲料抽出容器１６の底部の吐出口１６ａを開放するものである。このため、ヒータ１６によって加熱された熱湯は、導水パイプ１７から案内部１７ｂ・給湯口１７ｃを通ってバスケット３５に注ぎ込まれるものである。バスケット３５に注がれた熱湯は、粉末コーヒ中を浸透して孔３５ａから順次滴下する。滴下したコーヒ抽出液は、飲料抽出容器１６の吐出口１６ａが開いているため、直ちにサーバ２２内に貯留されるものである。つまり、飲料抽出容器１６内に貯めないことによって、コーヒ粉の浸漬を防止し、渋みや苦みのない風味の高いコーヒ抽出液とするものである。
【００２９】
以上のように本実施例によれば、抽出する飲料がコーヒの場合でも茶の場合でも同一の飲料抽出容器１６を使用でき、手軽に風味の良い飲料を自動的に抽出することができるものである。
【００３０】
またこのとき実施例２で説明した押圧解除手段３０を併用するようにすれば、サーバ２２が載置されていなかったり、あるいは所定の場所に載置されていない間は熱湯がサーバ２２に吐出されることはなく、安全でしかも抽出飲料がコーヒでも茶でも同一の飲料抽出容器１６を使用できる飲料抽出装置を実現するものである。
【００３１】
【発明の効果】
本発明の第一の手段は、水を溜める貯水タンクと、茶を抽出する飲料抽出容器と、この飲料抽出容器に着脱自在に設けた茶葉を収納し水を透過するバスケットと、前記飲料抽出容器の下部に設けたサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた構成として、風味の良い茶を自動的に抽出することができる飲料抽出装置を実現するものである。
【００３２】
本発明の第二の手段は、特に吐出口開閉手段を、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成することで、ソレノイドの運動を吐出口を押圧している押圧部が受けたときに、吐出口の押圧を解除する簡単な構成の飲料抽出装置を実現するものである。
【００３３】
本発明の第三の手段は、水を溜める貯水タンクと、茶を抽出する飲料抽出容器と、この飲料抽出容器に着脱自在に設けた茶葉を収納し水を透過するバスケットと、前記飲料抽出容器の下部に設けた蓋を取り外し自在に有するサーバと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段と、常時は吐出口開閉手段を構成する押圧部を押圧し、所定の位置にサーバが載置された場合にサーバの蓋によって前記押圧部の押圧を解除する押圧解除手段とを有する構成として、サーバが載置されていなかったりあるいは所定の位置に載置されていない場合には、抽出液の吐出を実行しない安全な飲料抽出装置を実現するものである。
【００３４】
また本発明の第四の手段は、水を溜める貯水タンクと、飲料を抽出する飲料抽出容器と、この飲料抽出容器に着脱自在に設けた粉末コーヒまたは茶葉を収納し水を透過するバスケットと、前記飲料抽出容器の下部に設けたサーバと、コーヒと茶のどちらを抽出するかを選択するスイッチと、貯水タンク内の水を前記飲料抽出容器内に沸騰給水する加熱手段と、飲料抽出容器の温度を検知する温度検知手段と、前記飲料抽出容器の下部に設けた吐出口を開閉する吐出口開閉手段と、前記温度検知手段の出力に基づいて前記吐出口開閉手段を駆動する制御手段とを備えた構成として、抽出する飲料がコーヒの場合でも茶の場合でも同一の抽出容器を使用でき、風味の良い飲料を自動的に抽出することができる飲料抽出装置を実現するものである。
【００３５】
更に本発明の第五の手段は、本発明の第四の手段を構成する吐出口開閉手段を、先端に吐出口を覆う半球体を備えた押圧部と、スプリングの付勢力を枢支ピンを介して前記押圧部に伝達する伝達部と、伝達部に係合する作動ピンを備え作動ピンを上方向に変位させるソレノイドとから構成することで、サーバが載置されていなかったりあるいは所定の位置に載置されていない場合には、抽出液の吐出を実行しない安全で、しかも手軽にコーヒも茶も抽出できる飲料抽出装置を実現するものである。
【図面の簡単な説明】
【図１】本発明の第一の実施例である飲料抽出装置の内部構成を示す縦断面図
【図２】（ａ）本発明の第二の実施例である飲料抽出装置に使用している押圧解除手段の構成を示す縦断面図
（ｂ）同、押圧解除手段が作動した状態を示す縦断面図
【図３】本発明の第三の実施例の飲料抽出装置の内部構成を示す縦断面図
【図４】（ａ）従来例である飲料抽出装置の構成を示す縦断面図
（ｂ）同、バスケットを示す平面図
（ｃ）同、側面図
（ｄ）同、コーヒ抽出容器
【符号の説明】
１５  貯水タンク
１６  飲料抽出容器
１６ａ  吐出口
１８  加熱手段
１９  制御手段
２０  バスケット
２１  蓋
２２  サーバ
２４  温度検知手段
２５  吐出口開閉手段
２６  押圧部
２６ａ  半球体
２７  伝達部
２７ｂ  スプリング
２７ｃ  枢支ピン
２８  作動ピン
２９  ソレノイド
３０  押圧解除手段
３５  飲料抽出容器
【図１】
0003633036.tif 000002
【図２】
0003633036.tif 000003
【図３】
0003633036.tif 000004
【図４】
0003633036.tif 000005